【手続補正書】
【提出日】平成30年5月22日(2018.5.22)
【手続補正１】
【補正対象書類名】特許請求の範囲
【補正対象項目名】全文
【補正方法】変更
【補正の内容】
【特許請求の範囲】
【請求項１】
データ経路グループネットワークのデバイスを動作させる方法であって、
第1のデバイスで、前記データ経路グループネットワークの第2のデバイスから第2のメッセージを受信するステップであって、前記第2のメッセージが、前記データ経路グループネットワークに対応する寿命値またはハートビート値のうちの少なくとも1つを含む、受信するステップと、
前記第2のメッセージを受信したことに応答して前記第1のデバイスで、前記データ経路グループネットワークのサービスの可用性を示すためのデータを含み、かつ前記データ経路グループネットワークに対応する前記寿命値および前記ハートビート値のうちの少なくとも1つを含む第1のメッセージを生成するステップであって、前記寿命値は、前記データ経路グループネットワークを介して前記サービスが利用可能である時間期間を示し、前記ハートビート値は、前記第1のデバイスがデータ経路グループネットワークに関連付けられた状態に留まることになる時間の存続期間を示す、ステップと、
前記データ経路グループネットワークの前記第1のデバイスから前記第1のメッセージを前記データ経路グループネットワークの少なくとも1つのデバイスに送信するステップと、
前記第2のメッセージを受信することに応答して、前記データ経路グループネットワークに参加するステップと、
前記第2のメッセージを受信することに応答して、前記寿命値に基づいて、前記第1のデバイスの寿命カウンタを設定するステップと、
前記寿命カウンタが期限切れしたかどうかを周期的に決定するステップと、
前記寿命カウンタが期限切れしていないと決定することに応答して、前記寿命カウンタを更新するステップと、
を含む、方法。
【請求項２】
前記第1のメッセージが、サービス発見メッセージを含み、発見ウィンドウの間に前記第1のデバイスから前記少なくとも1つのデバイスに送信される、請求項1に記載の方法。
【請求項３】
前記第1のデバイスが前記データ経路グループネットワークを含む近隣認識ネットワーク(NAN)内に含まれる、請求項2に記載の方法。
【請求項４】
前記第1のメッセージの前記第1のデバイスから前記少なくとも1つのデバイスへの送信は、前記第1のメッセージを第2のデバイスを含む複数のデバイスにブロードキャストすることを含む、請求項1に記載の方法。
【請求項５】
前記第1のデバイスで前記第1のメッセージを生成するのに先立って、前記データ経路グループネットワーク内に含まれた複数のデバイスから複数のメッセージを受信するステップであって、前記受信された複数のメッセージの各々が対応する寿命値を示す寿命データを含む、受信するステップと、
前記第1のデバイスで、前記第1のメッセージ内に含まれるべき前記受信された複数のメッセージの受信された最高寿命値を前記寿命値として選択するステップと
をさらに含む、請求項1に記載の方法。
【請求項６】
前記データ経路グループネットワークに参加することに応答して、前記第1のデバイスのメモリにおいて、前記データ経路グループネットワークに対応するメモリ割振りを維持するステップであって、前記メモリ割振りが、前記データ経路グループネットワーク内に含まれた複数のデバイスを識別するデバイスリスト、前記データ経路グループネットワークのグループ鍵、前記第1のデバイスの寿命カウンタ、前記第1のデバイスのハートビートカウンタ、またはそれらの組合せを含む、維持するステップをさらに含む、請求項1に記載の方法。
【請求項７】
前記データ経路グループネットワークに参加することに続いて、前記データ経路グループネットワークのグループページングウィンドウの間に前記データ経路グループネットワークのグループ通信チャネルを監視するために前記第1のデバイスをアクティブモードに切り替えるステップをさらに含む、請求項1に記載の方法。
【請求項８】
前記寿命カウンタが期限していないと決定することに応答して、グループ送信ウィンドウのグループページングウィンドウの間に前記データ経路グループネットワークのグループ通信チャネルを前記第1のデバイスで監視するステップであって、前記グループ送信ウィンドウが前記グループページングウィンドウとグループデータウィンドウとを含む、監視するステップと、
前記第1のデバイスで、前記グループページングウィンドウの間に前記第2のデバイスからトラフィック表示メッセージを受信するステップと、
前記第1のデバイスで、前記トラフィック表示メッセージが、前記第2のデバイスが前記第1のデバイスに送るべきサービスデータを有することを示すと決定することに応答して、前記グループ送信ウィンドウの前記グループデータウィンドウの間に前記グループ通信チャネルを監視するステップであって、前記サービスデータが前記サービスに対応する、監視するステップと、
前記第1のデバイスで、前記グループページングウィンドウの間に前記第2のデバイスから前記サービスデータを受信するステップと
をさらに含む、請求項1に記載の方法。
【請求項９】
前記第2のメッセージを受信することに応答して、前記ハートビート値に基づいて、前記第1のデバイスのハートビートカウンタを設定するステップと、
前記ハートビートカウンタが期限切れしたかどうかを周期的に決定するステップと、
前記ハートビートカウンタが期限切れしていないと決定することに応答して、前記ハートビートカウンタを更新するステップと
をさらに含む、請求項1に記載の方法。
【請求項１０】
前記ハートビートカウンタが期限切れしたと決定することに応答して、前記第1のデバイスによって、前記データ経路グループネットワークから関連付け解除するステップをさらに含む、請求項9に記載の方法。
【請求項１１】
前記第1のデバイスによって、前記第1のデバイスから前記データ経路グループネットワークの前記第2のデバイスに関連付け解除メッセージを送信することによって、前記データ経路グループネットワークから関連付け解除するステップと、
前記第1のデバイスのメモリのメモリ割振りの維持を中止するステップであって、前記メモリ割振りが前記データ経路グループネットワークに対応する、中止するステップと
をさらに含む、請求項9に記載の方法。
【請求項１２】
前記データ経路グループネットワークの寿命を延長するために第2の寿命値を決定するステップであって、前記第1のデバイスが前記サービスのプロバイダデバイスである、決定するステップと、
前記第2の寿命値を送信するステップであって、前記第2の寿命値が、前記データ経路グループネットワークの終了時間に対応する、送信するステップと、
前記第2の寿命値に基づいて、前記終了時間に対応するように前記寿命カウンタを設定するステップと
をさらに含む、請求項1に記載の方法。
【請求項１３】
前記寿命カウンタの期限切れに先立って、サービスデータが前記第1のデバイスから前記データ経路グループネットワークのデバイスに通信されるべきであると決定するステップと、
前記寿命カウンタの期限切れに先立って、前記データ経路グループネットワークの前記デバイスに前記サービスデータを提供するステップと、
前記寿命カウンタの期限切れに応答して、前記データ経路グループネットワークから関連付け解除するステップと
をさらに含む、請求項1に記載の方法。
【請求項１４】
前記データ経路グループネットワークのデバイスから第3のメッセージを受信するステップであって、前記第3のメッセージが、第2の寿命値または更新活動のうちの少なくとも1つを示すための更新データを含む、受信するステップと
をさらに含む、請求項1に記載の方法。
【請求項１５】
前記更新活動が、前記データ経路グループネットワークのグループ鍵を変更すること、前記データ経路グループネットワークのグループ通信チャネルを変更すること、前記データ経路グループネットワークの送信スケジュールを変更すること、前記データ経路グループネットワークに対応するネットワーク識別子を変更すること、前記データ経路グループネットワークに対応する近隣認識ネットワーククラスタを変更すること、またはそれらの組合せを含む、請求項14に記載の方法。
【請求項１６】
前記寿命値に従って設定された前記寿命カウンタの期限切れを検出することに応答して、
前記第2の寿命値に基づいて、前記データ経路グループネットワークの第2の終了時間に対応するように前記寿命カウンタを設定するステップ
をさらに含む、請求項14記載の方法。
【請求項１７】
メモリと、
前記メモリに結合されたプロセッサであって、
第1のデバイスで、データ経路グループネットワークのサービスの可用性を示すためのデータを含み、かつ前記データ経路グループネットワークに対応する寿命値およびハートビート値のうちの少なくとも1つを含む第1のメッセージを生成することであって、前記寿命値は、前記データ経路グループネットワークを介して前記サービスが利用可能である時間期間を示し、前記ハートビート値は、前記第1のデバイスがデータ経路グループネットワークに関連付けられた状態に留まることになる時間の存続期間を示す、ことと、
前記第1のメッセージの前記データ経路グループネットワークの少なくとも1つのデバイスに対するワイヤレス送信を開始することと
を行うように構成される、プロセッサと、
第2のメッセージを前記データ経路グループネットワークの第2のデバイスから受信するように構成された受信機であって、前記第2のメッセージが前記寿命値と前記ハートビート値のうち少なくとも1つを含む、受信機と、
を備えたデバイスであって、
前記プロセッサはさらに、
前記第2のメッセージの受信に応答して前記データ経路グループネットワークに参加することであって、前記第1のメッセージが、前記第2のメッセージの受信に応答して生成される、ことと、
前記第2のメッセージの受信に応答して、前記ハートビート値に基づいて、前記第1のデバイスのハートビートカウンタを設定することと、
前記ハートビートカウンタが期限切れしたかどうかを周期的に決定することと、
前記ハートビートカウンタが期限切れしていないと決定することに応答して、前記ハートビートカウンタを更新することと、
を行うように構成される、デバイス。
【請求項１８】
前記第1のメッセージを前記少なくとも1つのデバイスに送信するように構成された送信機をさらに含む、請求項17に記載のデバイス。
【請求項１９】
前記データが前記第1のメッセージのグループ属性フィールド内に含まれる、請求項17に記載のデバイス。
【請求項２０】
前記データが、前記データ経路グループネットワークのグループ通信チャネルに対応する送信チャネルをさらに示し、送信スケジュールが、発見ウィンドウオフセット、グループ送信ウィンドウの第1のサイズ、グループページングウィンドウの第2のサイズ、一対の連続発見ウィンドウの間の連続グループ送信ウィンドウの数、一対の連続グループ送信ウィンドウの間のオフセット、またはそれらの組合せをさらに示す、請求項17に記載のデバイス。
【請求項２１】
前記データが、前記データ経路グループネットワークに対応する前記サービスのプロバイダデバイスに対するホップカウント、前記プロバイダデバイスの媒体アクセス制御(MAC)アドレス、前記プロバイダデバイスのデバイス識別子(ID)、またはそれらの組合せをさらに示す、請求項17に記載のデバイス。
【請求項２２】
命令を記憶するコンピュータ可読記憶デバイスであって、前記命令が、プロセッサによって実行されるとき、前記プロセッサに、
第1のデバイスで、データ経路グループネットワークのサービスの可用性を示すためのデータを含み、かつ前記データ経路グループネットワークに対応する寿命値およびハートビート値のうちの少なくとも1つを含む第1のメッセージを生成することであって、前記寿命値は、前記データ経路グループネットワークを介して前記サービスが利用可能である時間期間を示し、前記ハートビート値は、前記第1のデバイスがデータ経路グループネットワークに関連付けられた状態に留まることになる時間の存続期間を示す、ことと、
前記データ経路グループネットワークの第1のデバイスから前記第1のメッセージの前記データ経路グループネットワークの少なくとも1つのデバイスへのワイヤレス送信を開始することと、
前記寿命値に基づいて、前記データ経路グループネットワークの第1の終了時間に対応するように前記第1のデバイスの寿命カウンタを設定することと、
前記データ経路グループネットワークの寿命を延長するために第2の寿命値を決定することであって、前記第1のデバイスが前記サービスのプロバイダデバイスである、決定することと、
前記第2の寿命値の送信を開始することであって、前記第2の寿命値は前記第1の終了時間に続く第2の終了時間に対応する、ことと、
前記第2の寿命値に基づいて前記第2の終了時間に対応するように前記寿命カウンタを設定することと、
を含む動作を実行させる、コンピュータ可読記憶デバイス。
【請求項２３】
前記動作が、
前記第1のメッセージを生成するのに先立って、前記データ経路グループネットワークに参加することであって、前記データが前記データ経路グループネットワークのグループ通信チャネルをさらに示し、前記第1のメッセージが、前記データ経路グループネットワークの前記グループ通信チャネルとは異なる第2の通信チャネルを介して送信される、参加することと、
前記データ経路グループネットワークに参加することに続いて、かつ前記第1のデバイスの寿命カウンタおよびハートビートカウンタが期限切れしていないと決定することに応答して、前記データ経路グループネットワークに対応するグループページングウィンドウの間に前記グループ通信チャネルを監視することと
をさらに含む、請求項22に記載のコンピュータ可読記憶デバイス。
【請求項２４】
前記動作が、前記データ経路グループネットワークに参加することに続いて、前記第1のデバイスの前記寿命カウンタまたは前記ハートビートカウンタのうちの少なくとも1つが期限切れしたと決定することに応答して、前記データ経路グループネットワークから前記第1のデバイスを関連付け解除することをさらに含む、請求項23に記載のコンピュータ可読記憶デバイス。
【請求項２５】
第1のデバイスで、データ経路グループネットワークのサービスの可用性を示すためのデータを含み、かつ前記データ経路グループネットワークに対応する寿命値およびハートビート値のうちの少なくとも1つを含む第1のメッセージを生成するための手段であって、前記寿命値は、前記データ経路グループネットワークを介して前記サービスが利用可能である時間期間を示し、前記ハートビート値は、前記第1のデバイスがデータ経路グループネットワークに関連付けられた状態に留まることになる時間の存続期間を示す、手段と、
前記データ経路グループネットワークの第1のデバイスから前記第1のメッセージを前記データ経路グループネットワークの少なくとも1つの他のデバイスに送信するための手段と、
第3のデバイスから第2のメッセージを受信するための手段であって、前記第2のメッセージが、前記寿命値または前記ハートビート値のうちの少なくとも1つを含み、前記第1のメッセージが前記第2のメッセージに応答して生成される、受信するための手段と、
前記寿命値と前記ハートビート値を記憶するための手段と
を含む、装置。
【請求項２６】
前記データ経路グループネットワークがインフラストラクチャレスピアツーピアネットワークを含む、請求項25に記載の装置。
【請求項２７】
前記データ経路グループネットワークが近隣認識ネットワーク(NAN)の複数のデバイスを含む、請求項25に記載の装置。